(57)【特許請求の範囲】
【請求項１】
パトローネ本体の壁面に、未露光表示位置，一部露光済み表示位置，露光済み表示位置，現像済み表示位置の各々異なった４位置にそれぞれ開口が形成されているとともに、前記４位置に移動自在な表示部材を備え、一般の写真カメラにも装填可能な外形形状を有する写真フイルムパトローネであって、前記現像済み表示位置の開口に、パトローネ本体と異なる色の板部材を嵌め込んだことを特徴とする写真フイルムパトローネ。
【請求項２】
パトローネ本体の壁面に、未露光表示位置，一部露光済み表示位置，露光済み表示位置，現像済み表示位置の各々異なった４位置にそれぞれ開口が形成されているとともに、前記４位置に移動自在な表示部材を備え、一般の写真カメラにも装填可能な外形形状を有する写真フイルムパトローネであって、前記現像済み表示位置の開口を埋設するとともに、その表面にパトローネ本体と異なる色の印刷を施したことを特徴とする写真フイルムパトローネ。
【請求項３】
前記表示部材は、前記４つの開口から露呈される部分が切除されていることを特徴とする請求項１又は請求項２記載の写真フイルムパトローネ。
【請求項４】
前記表示部材は、前記パトローネ本体と同じ色の樹脂により成形されていることを特徴とする請求項１又は請求項２記載の写真フイルムパトローネ。
【請求項５】
パトローネ本体を収納するためのパトローネ室と、前記パトローネ本体から引き出された写真フイルムを収納するためのフイルムロール室とが一体に形成され、これらパトローネ室とフイルムロール室との底面を塞ぐための蓋が各々設けられたユニット本体に、パトローネ本体の側面に未露光表示位置，一部露光済み表示位置，露光済み表示位置，現像済み表示位置の各々異なった４位置に開口が形成されているとともに、前記４位置に移動自在な表示部材を備えた写真フイルムパトローネを、前記４つの開口の形成面が前記蓋と対向するように組み込むレンズ付きフイルムユニットにおいて、
前記パトローネ本体の表示部材を切除するとともに、前記パトローネ室の底面を塞ぐ蓋の内壁に、前記未露光表示位置の開口に入り込む突起を設けたことを特徴とするレンズ付きフイルムユニット。
【発明の詳細な説明】
【０００１】
【産業上の利用分野】
本発明は、写真フイルムの状況表示機能を有する写真フイルムパトローネと、これを用いるレンズ付きフイルムユニットに関するものである。
【０００２】
【従来の技術】
現在種々の写真フイルムが用いられているが、一般撮影用としては、パトローネ本体の内部にスプールを回動自在に設け、このスプールに帯状の写真フイルムの終端部を固定して巻きつけた写真フイルムパトローネが広く利用されている。最近では、米国特許第４８３４３０６号明細書や本出願人による特開平３−２６７９３２号公報等に記載されているように、パトローネ本体を樹脂成形品で組み立てるとともに、未使用状態では写真フイルムの全てをパトローネ本体内に収納しておき、スプールの回転によって写真フイルムをパトローネ本体外に送り出す機能をもった写真フイルムパトローネが公知である。また現像済み写真フイルムの収納や保管を簡便にするために、上記の機能をもったパトローネ本体をそのまま現像済み写真フイルムの収納容器として用いることが特開平３−１７９３４１号公報等で提案されている。
【０００３】
ところが、このような写真フイルムパトローネでは、写真フイルムの先端部までパトローネ本体の内部に巻き込んでしまうため、外観からは写真フイルムが露光済みであるか否か、また現像済みであるか否かを識別することができない。このため、米国特許第４９７８９８５号明細書や、特開平３−１７７８３５号公報，特開平４−１１９３５３号公報、及び特開平５−２８１６６７号公報等で公知のように、パトローネ本体に表示機能を付加し、収納されている写真フイルムが未使用，露光済み，さらには現像済みのいずれの状況にあるのかを外観から簡単に識別できるようにした写真フイルムパトローネが提案されている。
【０００４】
写真フイルムの状況表示方法にも様々な方法が提案されているが、基本的には、パトローネ本体の内部に移動自在な表示部材を設けるとともに、パトローネ本体の壁面に複数の表示開口を形成し、未露光，露光済み，現像済みの各状況に対応した表示開口から表示部材を露呈させるようにしている。
【０００５】
例えば図６に示した写真フイルムパトローネ１では、パトローネ本体２の内部にスプール３と一体に回動する扇状の表示板４が設けられている。またパトローネ本体２の側壁には、未露光表示位置，一部露光済み表示位置，露光済み表示位置，及び現像済み表示位置のそれぞれに対応させた４つの表示開口５，６，７，８が形成されている。そして、表示板４が表示開口５〜８のうち１箇所から露呈され、その露呈位置により写真フイルム（図示せず）の状況を識別できるようになっている。
【０００６】
一方、いつでも手軽に写真撮影を楽しむことができるように、簡単な撮影機構を備えたユニット本体に予め未露光の写真フイルムを内蔵させたレンズ付きフイルムユニットが本出願人により製造販売されている。このレンズ付きフイルムユニットは、購入したその場ですぐに写真撮影ができ、また撮影後にもそのまま現像取り扱い店に出せばよいという簡便性から、一般に広く利用されている。
【０００７】
このようなレンズ付きフイルムユニットに上記の表示機能を備えた写真フイルムパトローネを組み込んだ場合には、この写真フイルムパトローネは現像処理が施された後までユーザーの眼に触れることはない。したがって、レンズ付きフイルムユニットに写真フイルムパトローネを組み込む際には、表示部材の露呈位置はいずれの表示開口であってもよく、現像処理が施されてユーザーに返却される時に現像済み表示位置に切替えられればよいことになる。
【０００８】
【発明が解決しようとする課題】
しかしながら、上記の写真フイルムパトローネでは、表示部材が表示開口から露呈するように設けられているので、ユーザーの取り扱いにより誤って露呈位置が変更される危険性がある。このため、未使用の写真フイルムや撮影後未現像の写真フイルムをパトローネ本体から誤って引き出してしまったり、撮影済みあるいは現像処理済みの写真フイルムを未撮影のものと誤認して再度カメラに装填して使用する等の事故やミスが生じる恐れがある。
【０００９】
また、レンズ付きフイルムユニットに用いられる写真フイルムには特殊な加工が施され、一般仕様の写真フイルムとは異なる場合が多い。ところが、この写真フイルムを収納するパトローネ本体は一般仕様のものをそのまま流用しており、その外観からは収納されている写真フイルムが特殊仕様なのか、あるいは一般仕様のものなのか区別することはできない。このため、レンズ付きフイルムユニットの組立工程内に一般仕様の写真フイルムパトローネが混入し、不良品を製造，販売してしまう恐れがある。
【００１０】
本発明は、上記の事情を考慮してなされたもので、簡単な構成で一般仕様品との識別を可能とし、かつ誤表示を防止することのできる写真フイルムパトローネと、これを用いるレンズ付きフイルムユニットを提供することを目的とする。
【００１１】
【課題を解決するための手段】
上記目的を達成するために、本発明の写真フイルムパトローネは、一般の写真カメラにも装填可能な外形形状を有し、パトローネ本体に形成された４つの開口のうち、現像済み表示位置の開口に、パトローネ本体と異なる色の板部材を嵌め込み、予め現像済み表示を行うものである。
【００１２】
また請求項２に記載の写真フイルムパトローネは、一般の写真カメラにも装填可能な外形形状を有し、現像済み表示位置の開口を埋設し、その表面にパトローネ本体と異なる色の印刷を施すことで、予め現像済み表示を行うようにするものである。
【００１３】
また請求項３に記載の写真フイルムパトローネは、表示部材の開口から露呈する部分を切除し、いずれの開口からも表示部材が露呈しないようにするものである。
【００１４】
また請求項４に記載の写真フイルムパトローネは、表示部材をパトローネ本体と同じ色の樹脂により成形し、表示部材の識別性を低下させるものである。
【００１５】
さらに請求項５に記載のレンズ付きフイルムユニットは、パトローネ本体の表示部材を切除するとともに、パトローネ室の底面を塞ぐ蓋の内壁に、パトローネ本体に形成された未露光表示位置の開口に入り込む突起を設けるものである。
【００１６】
【実施例】
図２は、本発明の写真フイルムパトローネの構成を示すものである。写真フイルムパトローネ１０は、パトローネ本体１１の内部に、写真フイルム１２を巻きつけたスプール１３を回動自在に収納し、パトローネ本体１１の外周にパトローネラベル１４を貼着して構成されている。パトローネ本体１１は、樹脂の一体成型品からなる上ケース１５と下ケース１６とからなり、下ケース１６に設けられた係合爪１６ａ，１６ｂ，１６ｃ，１６ｄによって嵌合されている。また、パトローネ本体１１及びスプール１３は、パトローネ本体１１内の遮光性を高めるために、黒色の樹脂により成形されている。
【００１７】
上・下ケース１５，１６の正面側合わせ目には写真フイルム１２を送り出すためのフイルム送出口１７が形成されている。フイルム送出口１７には、ここからの入光を防止するために蓋部材１８が設けられ、この奥には写真フイルム１２の先端を分離するたの分離爪１９が形成されている。蓋部材１８の両端部にはそれぞれキー溝１８ａ，１８ｂが形成されており、パトローネ本体１１の両側面から露呈している。キー溝１８ａ，１８ｂは、カメラ側の開閉用駆動軸により回転操作され、これによって蓋部材１８がフイルム送出口１７を塞ぐ閉じ位置と、写真フイルム１２の出入りを許容する開き位置との間で回動する。
【００１８】
スプール１３は、スプール軸２０の両端に一対のリップ付きフランジ２１，２２を取り付け、一方のフランジ２１の外側にデータディスク２３を、また他方のフランジ２２の外側に使用表示部材２５をそれぞれ取り付けた構成となっている。またフランジ２１，２２、データディスク２３、及び使用表示部材２５は、スプール軸２０と一体に回転するように取り付けられている。スプール軸２０の両端部にはそれぞれキー溝２０ａ，２０ｂが形成されており、パトローネ本体１１の両側面に露呈している。このキー溝２０ａ，２０ｂには、モータによって回転するカメラ側の駆動軸が係合し、この駆動軸の回転によってスプール１３が回動される。
【００１９】
一対のフランジ２１，２２は、カップ状の開口縁部２１ａ，２２ａが互いに向き合うようにスプール軸２０に取り付けられる。そして、開口縁部２１ａ，２２ａの間に写真フイルム１２の最外周両端を包み込み、スプール１３の回転を写真フイルム１２の最外周まで伝達させるとともに、写真フイルム１２の巻き緩みを防止している。
【００２０】
データディスク２３には、このデータディスク２３と相似形状のバーコードラベル２４が貼り付けられる。バーコードラベル２４には、様々な情報、例えば収納する写真フイルム１２の種類等を表したバーコード２４ａが印刷されている。この情報は、スプール１３がフイルム送り出し方向に回転された際に、上ケース１５の側面に形成された読取り開口２６を介してカメラ側に設けられた読取りセンサによって読み取られ、露出値の算出や、収納された写真フイルムの露光枚数のカウント等に用いられる。
【００２１】
使用表示部材２５は、ギヤ２７と表示板２８とが一体に形成されてなり、図１に示すように、表示板２８は扇状の表示部２８ｂが切除されて輪形の支持部２８ａのみが残されている。パトローネ本体１１の使用表示部材２５を覆う側の側面には、表示部２８ｂの回動範囲内に、未露光表示開口３１，一部露光済み表示開口３２，露光済み表示開口３３，及び現像済み表示開口３４が形成されている。現像済み表示開口３４には板部材３５が嵌め込まれる。板部材３５は、パトローネ本体１１の表面色と異なる色、例えば、黒色のパトローネ本体１１との色の差異を最も識別しやすい補助色の白色に形成されている。なお、図１において符号３６は、写真フイルム１２が現像済みであるか否かをカメラやフイルムプロセッサー等で自動的に検出できるようにするためのタブを表しており、このタブ３６が折り取られている場合には、収納されている写真フイルム１２が現像済みであることを示している。
【００２２】
図２において、パトローネ本体１１の内部には、使用表示部材２５に設けられたギヤ２７と噛み合うようにスプールロック３７が収納されている。このスプールロック３７は、蓋部材１８が閉じ位置にある時にはギヤ２７に係合してスプール１３の回転ロックを行い、不用意な写真フイルム１２の送り出しを防止する。一方蓋部材１８が開き位置にある時にはギヤ２７との係合を解除し、スプール１３のフイルム送り出し方向への回転を許容する。
【００２３】
図３は、本発明の写真フイルムパトローネ１０を備えるレンズ付きフイルムユニットの外観を示すものである。ユニット本体４１は主にプラスチック成形され、全体を外装体４２によって覆われている。外装体４２は、レンズ付きフイルムユニット４０の外観を綺麗にするためのものであり、表面に印刷が施された紙箱等が用いられる。外装体４２の所要部には、撮影レンズ４３，ファインダー対物窓４４，ストロボ発光部４５，ストロボ充電スイッチ４６，巻き上げノブ４７，シャッターボタン４８，及びカウンタ窓４９等を外部に露呈させるための開口が設けられており、この外装体４２をユニット本体４１に被せたままの状態で撮影操作が行えるようになっている。
【００２４】
ユニット本体４１は、図４に分解して示したように、本体基部５１と、その上面，前面，及び左右側面を覆うように被せられる前カバー５２と、本体基部５１の背面に被せられる後カバー５３とから構成されている。本体基部５１には、パトローネ本体１１を収納するパトローネ室５４と、パトローネ本体１１から引き出された未露光の写真フイルム１２をロール状に巻いて収納するフイルムロール室５５とが一体に形成されている。また前カバー５２には、ファインダー対物窓４４，ストロボ充電スイッチ４６，及びシャッターボタン４８が一体に形成されている。本体基部５１の前面には、撮影レンズ４３，ファインダー光学系，フイルム巻上げ機構，及びシャッター機構等が組み付けられた露光ユニット５６が、また上方にはストロボ装置５７がそれぞれ取り付けられ、前カバー５２と後カバー５３とで挟持される。
【００２５】
後カバー５３の底面側には、パトローネ室５４及びフイルムロール室５５の底面をそれぞれ覆うプルトップ式の蓋５８，５９が設けられている。蓋５８は、露光済み写真フイルム１２が巻き込まれたパトローネ本体１１をパトローネ室５４から取り出すときの取り出し蓋となる。図５に示すように、蓋５８の内壁には、パトローネ本体１１の未露光表示開口３１に入り込む突起６０が設けられている。
【００２６】
レンズ付きフイルムユニット４０の組立工程において、まず、樹脂成型された本体基部５１の前面に、予め組み立てられた露光ユニット５６とストロボ装置５７とが取り付けられ、さらに前カバー５２が被せられる。
【００２７】
次に、本体基部５１に未使用の写真フイルムパトローネ１０が収納される。写真フイルムパトローネ１０は、パトローネ本体１１から写真フイルム１２を全て引き出した状態で組み込まれ、パトローネ本体１１はパトローネ室５４に、また写真フイルム１２はロール状に巻かれてフイルムロール室５５にそれぞれ収納される。この際、パトローネ本体１１は、現像済み表示開口３４に白色の板部材３５が嵌め込まれ、既に現像済み表示がなされているので、未露光表示がなされた一般仕様の写真フイルムパトローネと容易に識別することができる。これにより、レンズ付きフイルムユニットの組立工程内に一般仕様品が混入することが防止される。
【００２８】
この後、本体基部５１の背面に後カバー５３が被せられ、パトローネ室５４及びフイルムロール室５５の蓋５８，５９が閉じられる。この際、パトローネ室５４を塞ぐ蓋５８は、その内壁に設けられた突起６０がパトローネ本体１１の未露光表示開口３１に入り込んだ状態で閉じられる。ここで、パトローネ室５４に一般仕様の写真フイルムパトローネが装填されている場合には、未露光表示開口の奥には表示板が位置しているので、この表示板に突起６０が当接して蓋５８を閉じることができない。これにより、レンズ付きフイルムユニット４０内に一般仕様の写真フイルムパトローネが装填されることが確実に防止される。そして、このようにして組み立てられたユニット本体４１には外装体４２が被せられ、レンズ付きフイルムユニット４０が完成する。
【００２９】
ユーザーがレンズ付きフイルムユニット４０を用いて写真フイルム１２の全コマに撮影を行い、巻き上げノブ４７を回動操作すると、写真フイルム１２の全てがパトローネ本体１１内に巻き込まれる。そして、ユーザーが使用済みレンズ付きフイルムユニット４０を現像取扱店に持っていき、ＤＰＥを依頼すると、このレンズ付きフイルムユニット４０は、更に現像所に集められる。現像所では、レンズ付きフイルムユニット４０の底部に設けられたフイルム取り出し用の蓋５８を開き、撮影済み写真フイルム１２が巻き込まれたパトローネ本体１１を取り出してフイルム現像及びプリント処理を行う。この後、現像済みの写真フイルム１２が再びパトローネ本体１１内に巻き込まれ、タブ３６が折り取られる。そして現像取扱店を介して、プリント写真と現像済みの写真フイルム１２を収納した写真フイルムパトローネ１０とがユーザーに返却される。
【００３０】
ユーザーに返却された写真フイルムパトローネ１０には、現像済み表示開口３４に白色の板部材３５が嵌め込まれ、現像済み表示がなされている。また、この写真フイルムパトローネ１０は、表示板２８の表示部２８ｂが切除されているので、ユーザーが誤ってスプール１３を回転させてしまったとしても、未露光表示開口３１，一部露光済み表示開口３２，及び露光済み表示開口３３のいずれからも表示板２８が露呈されることはなく、現像済み表示を行った状態が維持される。これにより、この写真フイルムパトローネ１０を未撮影のものと誤認して再度カメラに装填して使用する等の事故を防止することができる。
【００３１】
なお、上記実施例では、レンズ付きフイルムユニットのパトローネ室の底面を塞ぐ蓋に未露光表示開口に入り込む突起を設け、一般仕様のパトローネ本体は構造的に装填することができないようにした例について説明したが、現像済み表示が固定された本発明の写真フイルムパトローネを用いれば、その外観から一般仕様品との識別が充分に可能であるので、従来通りの構成のレンズ付きフイルムユニットであっても写真フイルムパトローネの誤装填を防止することはできる。
【００３２】
また、上記実施例では、パトローネ本体の現像済み表示開口に板部材を嵌め込んで現像済み表示を固定する例について説明したが、現像済み表示開口のないパトローネ本体を形成し、この表面に現像済み表示開口と同じ形状の印刷を施すようにしてもよい。
【００３３】
また、現像済み表示以外の表示を全て無効とするために、表示部を切除していずれの表示開口からも表示板が露呈されないようにした例について説明したが、表示板をパトローネ本体と同色の樹脂材で成形するようにしてもよい。この実施例によれば、表示板が表示開口から露呈しても目立たないので、ユーザーには現像済み表示のみが認識される。また、表示部の切除工程を設ける必要がなくなるので、写真フイルムパトローネの組立工程をより簡素化することができる。さらに、使用表示部材をスプール軸との一体成形品にすれば、表示板をパトローネ本体と同色に形成することができるとともに、パトローネ本体の構成部品数が削減されるので、部材管理を容易にすることができ、製造性の向上に寄与することができる。
【００３４】
【発明の効果】
以上のように、本発明の写真フイルムパトローネによれば、予め現像済み表示が固定されているので、未露光表示がなされている一般仕様の写真フイルムパトローネと容易に識別することができる。しかも、未露光表示，一部露光済み表示，露光済み表示の各表示は認識されないように構成されているので、現像済み表示のみが認識され、この表示が変更されることはない。しかも、殆どの構成部材が一般仕様のパトローネ本体と同じであるので、特別に製造工程を設ける必要がない。
【００３５】
また、レンズ付きフイルムユニットのパトローネ室を塞ぐ蓋に未露光表示開口に入り込む突起を設けておくと、未露光表示開口の奥に表示板が位置する一般仕様の写真フイルムパトローネが装填されている場合には、蓋が閉まらなくなる。これにより、レンズ付きフイルムユニットに、異種の写真フイルムパトローネが装填されることが確実に防止される。
【図面の簡単な説明】
【図１】本発明の写真フイルムパトローネの側面図である。
【図２】図１に示した写真フイルムパトローネの分解図である。
【図３】レンズ付きフイルムユニットの外観図である。
【図４】図３に示したユニット本体の分解図である。
【図５】図３に示したユニット本体の要部説明図である。
【図６】従来の写真フイルムパトローネの側面図である。
【符号の説明】
１，１０  写真フイルムパトローネ
２，１１  パトローネ本体
３，１３  スプール
４，２８  表示板
５，３１  未露光表示開口
８，３４  現像済み表示開口
１２  写真フイルム
２８ｂ  表示部
３５  板部材
４０  レンズ付きフイルムユニット
４１  ユニット本体
５４  パトローネ室
５５  フイルムロール室
５３  後カバー
５８，５９  蓋
６０  突起
【図１】
0003562856.tif 000002
【図２】
0003562856.tif 000003
【図３】
0003562856.tif 000004
【図４】
0003562856.tif 000005
【図５】
0003562856.tif 000006
【図６】
0003562856.tif 000007